【事件の表示】
　特許第３０５９６８２号「セントラル換気装置」の請求項１ないし１０に係る特許に対する特許異議の申立てについて、次のとおり決定する。
【結　論】
　訂正を認める。
　特許第３０５９６８２号の請求項１ないし９に係る特許を維持する。
【理　由】
１．手続の経緯
　本件は、平成８年１０月９日に出願され、平成１２年４月２１日に特許の設定登録がなされた特許３０５９６８２号について、平成１２年１２月２６日に三菱電機株式会社より全請求項に係る発明の特許に対して特許異議の申立がなされるとともに、松下精工株式会社より全請求項に係る発明の特許に対して特許異議の申立がなされたものであり、平成１３年９月１１日付けで取消理由通知がなされた後、平成１４年６月１３日に第１回の口頭審理及び証拠調べがなされ、平成１４年８月７日に第２回の口頭審理がなされ、平成１４年８月２１日付で職権により行われた証拠調べの結果が通知され、その後平成１４年１２月２５日付けで取消理由通知がなされ、その指定期間内である平成１５年３月１７日に訂正請求がなされたものである。
　
２．訂正の適否についての判断
２−１　特許権者の求めている訂正
　特許権者が求めている訂正は、平成１５年３月１７日付け訂正請求書に記載された以下のとおりのものである。
　
２−１−１　特許請求の範囲の記載に関して
訂正事項ａ．
特許請求の範囲の請求項１に記載の「・・各フロア毎に独立して設置された換気ユニット本体・・換気ユニット本体に室内の空気を吸い込ませる吸入口が一フロア全体で一箇所設けられ・・」を、「・・各フロア毎に独立して１個設置された換気ユニット本体・・外部に排気するために前記換気ユニット本体に室内の空気を吸い込ませる吸入口が一フロア全体で一箇所設けられ・・」と訂正する。
　
訂正事項ｂ．
　請求項２を削除し、特許請求の範囲の請求項３の項番を２に繰り上げ、さらに、特許明細書に記載された「【請求項３】・・建物の各フロア毎に独立して形成され、前記換気ユニット本体により供給される空気を室内へ吹き出す吹き出し口が一フロアに複数設けられ、前記換気ユニット本体に室内の空気を吸い込ませる吸入口が一フロア全体で一箇所設けられ、・・」を「【請求項２】・・建物の各フロア毎に独立して形成され、かつ、前記換気ユニット本体が各フロア毎に１個設置され、前記換気ユニット本体により供給される空気を室内へ吹き出す吹き出し口が一フロアに複数設けられ、外部に排気するために前記換気ユニット本体に室内の空気を吸い込ませる吸入口が一フロア全体で一箇所設けられ、・・」と訂正する。
　
訂正事項ｃ．
　請求項４から請求項１０の記載を各請求項の項番を繰り上げ、請求項２から請求項９とし、かつ、それら請求項中に他の請求項を引用する記載として記載される項番をそれぞれ繰り上げて、
　「【請求項３】　前記換気ユニット本体には、前記吸入口が直接設けられていることを特徴する請求項２に記載のセントラル換気装置。
　　【請求項４】　前記吸入口は、前記換気ユニット本体の直下の天井面に開口されていることを特徴する請求項２または請求項３に記載のセントラル換気装置。
　　【請求項５】　配管は、建物の外部の空気を室内に取り入れるために建物の外部から換気ユニット本体に連通する外部吸入配管と、この外部吸入配管から吸入された空気を換気ユニット本体を介して建物の同一フロアの室内に供給する室内供給配管と、その室内供給配管が配置された室内と同一フロアの室内の空気を換気ユニット本体に吸入する前記吸入口としての室内吸入口と、この室内吸入口から吸入された空気を外部に排気するために換気ユニット本体から外部まで連通する外部排気配管とを備えたことを特徴とする請求項２ないし請求項４のいずれかに記載のセントラル換気装置。
　　【請求項６】　室内供給配管は、物を収納するための室内収納部に連結されていることを特徴とする請求項２ないし請求項５のいずれかに記載のセントラル換気装置。
　　【請求項７】 換気ユニット本体は、室内側に位置する室内吸入口から吸入されて外部排気配管から室外に排出される空気と、室外側に位置する外部吸入配管から吸入されて室内供給配管から室内に供給される空気との間で、熱交換をする熱交換部を備えたことを特徴とする請求項２ないし請求項６のいずれかに記載のセントラル換気装置。
　　【請求項８】 換気ユニット本体は、室内側に位置する室内吸入口から吸入されて外部排気配管から室外に排出される空気と、室外側に位置する外部吸入配管から吸入されて室内供給配管から室内に供給される空気との間で、空気中に含まれる水分の交換をする水分交換部を備えたことを特徴とする請求項２ないし請求項７のいずれかに記載のセントラル換気装置。
　　【請求項９】 前記建物が一戸建ての住宅であることを特徴とする請求項２ないし請求項８のいずれかに記載のセントラル換気装置。」
と訂正する。
　
２−１−２　発明の詳細な説明の記載に関して
訂正事項ｄ．
　段落番号【０００７】に記載の「そこで、請求項３記載の発明は、・・セントラル換気装置を提供しようとするものである。」を、「そこで、請求項２記載の発明は、・・セントラル換気装置を提供しようとするものである。」に訂正する。
　
訂正事項ｅ．
　段落番号【０００８】に記載の「これに加えて、請求項６記載の発明は、請求項１記載の発明の配管を具体的に特定したものである。これに加えて、請求項７記載の発明は、・・セントラル換気装置を提供しようとするものである。」を、「これに加えて、請求項５記載の発明は、請求項２記載の発明の配管を具体的に特定したものである。これに加えて、請求項６記載の発明は、・・セントラル換気装置を提供しようとするものである。」と訂正する。
　
訂正事項ｆ．
　段落番号【０００９】に記載の「これに加えて、請求項８記載の発明は、・・セントラル換気装置を提供しようとするものである。これに加えて、請求項９記載の発明は、・・セントラル換気装置を提供しようとするものである。」を、「これに加えて、請求項７記載の発明は、・・セントラル換気装置を提供しようとするものである。これに加えて、請求項８記載の発明は、・・セントラル換気装置を提供しようとするものである。」と訂正する。
　
訂正事項ｇ．
　段落番号【００１０】に記載の「・・建物の各フロア毎に独立して設置された換気ユニット本体・・前記換気ユニット本体に室内の空気を吸い込ませる吸入口・・」を、「・・建物の各フロア毎に独立して１個設置された換気ユニット本体・・外部に排気するために前記換気ユニット本体に室内の空気を吸い込ませる吸入口・・」と訂正する。
　
訂正事項ｈ．
　段落番号【００１０】に記載の「また、請求項３に記載の発明は、上下に複数のフロアを有する建物における室内を換気可能なセントラル換気装置(10)であって、室内と室外との間を連通する筒状の配管と、この配管の内部における強制的な空気の流れを形成する換気ユニット本体(20)とを備え、この換気ユニット本体(20)及び配管が、建物の各フロア毎に独立して形成されていることを特徴とする。」を、「また、請求項２に記載の発明は、上下に複数のフロアを有する建物における室内を換気可能なセントラル換気装置(10)であって、室内と室外との間を連通する筒状の配管と、この配管の内部における強制的な空気の流れを形成する換気ユニット本体(20)とが天井の裏側に設けられ、この換気ユニット本体(20)及び配管が、建物の各フロア毎に独立して形成され、かつ、前記換気ユニット本体(20)が各フロア毎に１個設置され、前記換気ユニット本体(20)により供給される空気を室内へ吹き出す吹き出し口が一フロアに複数設けられ、外部に排気するために前記換気ユニット本体(20)に室内の空気を吸い込ませる吸入口が一フロア全体で一箇所設けられ、かつ、平面視で、前記吹き出し口が前記建物の外周縁近傍に設けられ、前記吸入口が前記建物の内側部分に設けられていることを特徴とする。」と訂正する。
　
訂正事項ｉ．
　段落番号【００１５】に記載の「請求項６記載の発明は、・・備えたことを特徴とする。」を、「請求項５記載の発明は、請求項２ないし請求項４のいずれかに記載の特徴点に加え、・・備えたことを特徴とする。」と訂正する。
　
訂正事項ｊ．
　段落番号【００１７】に記載の「請求項７記載の発明は、上記した請求項３または請求項６記載の特徴点に加え、・・特徴とする。」を「請求項６記載の発明は、上記した請求項２ないし請求項５のいずれかに記載の特徴点に加え、・・特徴とする。」と訂正する。
　
訂正事項ｋ．
　段落番号【００１８】に記載の「請求項８記載の発明は、上記した請求項３、請求項６または請求項７記載の特徴点に加え、・・特徴とする。」を「請求項７記載の発明は、上記した請求項２ないし請求項６のいずれかに記載の特徴点に加え、・・特徴とする。」と訂正する。
　
訂正事項ｌ．
　段落番号【００２２】に記載の「請求項９記載の発明は、上記した請求項３、請求項６、請求項７または請求項８記載の特徴点に加え、・・特徴とする。」を「請求項８記載の発明は、上記した請求項２ないし請求項７のいずれかに記載の特徴点に加え、・・特徴とする。」と訂正する。
　
訂正事項ｍ．
　段落番号【００４１】に記載の「本発明は、以上のように構成されているので、以下に記載されるような効果を奏する。請求項３または請求項６記載の発明によれば、・・セントラル換気装置を提供することができる。」を「本発明は、以上のように構成されているので、以下に記載されるような効果を奏する。請求項２または請求項５記載の発明によれば、・・セントラル換気装置を提供することができる。」と訂正する。
　
訂正事項ｎ．
　段落番号【００４２】に記載の「請求項７記載の発明によれば、・・セントラル換気装置を提供することができる。請求項８記載の発明によれば、・・セントラル換気装置を提供することができる。」を「請求項６記載の発明によれば、・・セントラル換気装置を提供することができる。請求項７記載の発明によれば、・・セントラル換気装置を提供することができる。」と訂正する。
　
訂正事項ｏ．
　段落番号【００４３】に記載の「請求項９記載の発明によれば、・・セントラル換気装置を提供することができる。」を、「請求項８記載の発明によれば、・・セントラル換気装置を提供することができる。」と訂正する。
　
２−２　訂正の目的の適否、新規事項の有無及び拡張・変更の存否
２−２−１　訂正事項ａ．について
　特許明細書の特許請求の範囲の【請求項１】に、「換気ユニット本体」がその構成の一部として記載されており、段落番号【００２７】に、「まず、本実施の形態の構成について説明する。本実施の形態に係るセントラル換気装置は、上下に二つのフロアを有する二階建ての建物における室内を換気可能なものである。このセントラル換気装置10は、室内と室外との間を連通する筒状の配管と、この配管の内部における強制的な空気の流れを形成する換気ユニット本体20とを備えている。そして、この換気ユニット本体20及び配管が、建物の同一フロアの換気をするために建物の各フロア毎に独立して形成されていることを特徴とするものである。具体的には、セントラル換気装置10の一階用として、一階用換気ユニット本体21と、それに関する一階用の配管とからなる一階用セントラル換気装置11が一階の天井部分に配置されている。そして、二階用として、二階用換気ユニット本体22と、二階用の配管とからなる二階用セントラル換気装置12が二階の天井部分に配置されている。そして、この一階用セントラル換気装置11と二階用セントラル換気装置12とは、縦方向の配管等により連結されることなく、一階及び二階の各フロア毎に独立して配置され、独立して運転可能に形成されている。」と、建物の各フロアー毎に独立して形成されているセントラル換気装置であることが記載されており、図面には各フロア用の換気ユニット本体は各フロアに１台のみ記載されている。そして、セントラル換気装置であることを併せ考えると、各フロアに換気ユニット本体を複数有するものは、その特段の記載がない以上、明細書に記載されているとは認められない。
　したがって、「各フロア毎に独立して設置された換気ユニット本体」を、「各フロア毎に独立して１個設置された換気ユニット本体」と訂正することは、特許明細書の請求項１に記載された事項をその目的の範囲で、特許明細書に記載された技術的事項により限定するものであり、しかも、特許請求の範囲を何等変更又は拡張するものではなく、しかも、新規事項を追加するものではない。
　次に、特許明細書の請求項１には、「吸入口」がその構成として記載されており、段落番号【００２８】に、「・・この室内吸入口50から吸入された空気を外部に排気するために換気ユニット本体20から外部まで連通する外部排気配管60とを備えている。」と記載され、吸入口から吸入された空気は、外部に排気されるものとされているから、「換気ユニット本体に室内の空気を吸い込ませる吸入口が一フロア全体で一箇所設けられ」を、「外部に排気するために前記換気ユニット本体に室内の空気を吸い込ませる吸入口が一フロア全体で一箇所設けられ」と訂正することは、特許明細書の請求項１に記載された事項をその目的の範囲で、特許明細書に記載された技術的事項により限定するものであり、しかも、特許請求の範囲を何等変更又は拡張するものではなく、しかも、新規事項を追加するものではない。
　よって、訂正事項ａ．は、特許明細書の請求項１に記載された構成を、特許明細書に記載された技術的事項により限定するものであるから、特許請求の範囲の減縮に該当するものであって、新規事項を追加せず、しかも、実質上特許請求の範囲を拡張し、又は変更するものではない。
　
２−２−２　訂正事項ｂ．について
　請求項２を削除することは、特許請求の範囲の減縮に該当するものであって、新規事項を追加せず、しかも、実質上特許請求の範囲を拡張し、又は変更するものではない。
　また、訂正事項ｂ．の残余の部分は、２−２−１に検討したように、特許明細書に記載された技術的事項により特許請求の範囲に記載された構成を限定するものであるから、訂正事項ｂ．は、特許請求の範囲の減縮に該当するものであって、新規事項を追加せず、しかも、実質上特許請求の範囲を拡張し、又は変更するものではない。
　
２−２−３　訂正事項ｃ．について、
　訂正事項ｂ．の訂正により、不明瞭となる部分を明瞭とするものであり、新規事項を追加せず、しかも、実質上特許請求の範囲を拡張し、又は変更するものではない。
　
２−２−４　訂正事項ｄ．〜ｏ．について、
　訂正事項ａ．〜ｃ．に合わせ、不明瞭となる記載を釈明するものであり、新規事項を追加せず、しかも、実質上特許請求の範囲を拡張し、又は変更するものではない。
　
２−３　むすび
　上記訂正は、特許異議の申立がなされていない請求項に係るものではなく、以上のとおり、特許法第１２０条の４第２項及び同条第３項で準用する特許法第１２６条第２項及び第３項の規定に適合するので、当該訂正を認める。
　
３．　特許異議申立に対する判断
３−１　申立て理由の概要
３−１−１　特許異議申立人三菱電機株式会社の主張概要
　特許異議申立人三菱電機株式会社は、本件特許に係る出願の出願前に頒布された刊行物に記載された発明を立証するために、
甲第１号証として、「Ｎａｔｉｏｎａｌ　気調システムカタログ熱交換冷暖房ユニットヒートポンプ（２分岐）式　’９５カタログ」
甲第２号証として、「三菱ロスナイ換気空調システム（天井埋込型）　技術マニュアル・ＶＬ−９０５ＨＣＲ［冷暖房ユニット］」 
甲第３号証として、「三菱ロスナイ換気空調システム　技術マニュアル」
を提出して、さらに、甲第２、３号証が、本件特許に係る出願の出願前に頒布された事実を立証するために、
甲第４号証として、「日産住設株式会社　代表取締役　澳原広明　作成の証明書」
を提出するとともに同事実を立証するために、
証人　野田智也
の尋問を申請して、さらに、
資料１として、「中電来客予定表」
を後日提出して、概略以下の主張をなしている。
　甲第１，２号証は、本件特許に係る出願の出願前に頒布された刊行物であり、本件請求項１に係る発明は、甲第１、２号証のいずれかに記載された構成を組み合わせたものであり、本件請求項１、３に係る発明は、甲第１，２号証に記載された発明に基づいて、当業者が容易に発明をすることができたものである。
　また、本件請求項２、４〜１０に記載される限定は、甲第１，２，３号証に実質的に記載されるものであり、本件請求項２，４〜１０に係る発明は、甲第１〜３号証ものに基づいて、当業者が容易に発明をすることができたものである。
　したがって、本件請求項１〜１０に係る発明は、甲各号証のものに基づいて、当業者が容易に発明をすることができたものであるから、特許法第２９条第２項の規定により特許を受けることができないものであり、特許法第１１３条第２号の規定により取消されるべきものである。
　
　なお、異議申立人は、本件各発明の構成の一部である、フロア全体に吸い込み口が単一である旨の構成、及び、平面視で吹き出し口が建物の外周縁の近傍に設けられ、吸入口が建物の内側部分に設けられた旨の構成は、願書に最初に添付された明細書または図面に記載された事項ではなく、これらを新たに記載した補正は、願書に最初に添付された明細書または図面に記載された事項の範囲でなされたものではない旨後日主張するとともに、訂正によっては、本件請求項に係る発明は、特許第３０５９７２８号の請求項１に係る発明と同一になる旨後日主張している。
　
３−１−２　特許異議申立人松下精工株式会社の主張概要
　特許異議申立人松下精工株式会社は、本件特許に係る出願の出願前に頒布された刊行物に記載された発明を立証するために、
甲第１号証として、「大川端リバーシティ２１Ａ棟３７Ｆにおける、一つの事例を徹底分析！　超高層集合住宅ガス設備計画　都市排熱利用による給湯暖房システムと機器開発例」
甲第２号証として、「Ｎａｔｉｏｎａｌ　ナショナル設備機器　設置工事技術資料　気調システム　熱交換気冷暖房ユニット編　ヒートポンプ（２分岐）式」
甲第３号証として、「Ｎａｔｉｏｎａｌ　ナショナル設備機器　設置工事技術資料　熱交換気冷暖房ユニット編　ヒートポンプ式　天井埋込形　」
甲第４号証として、「新住宅時代の暖（冷）房と換気設備の手引き」
甲第５号証として、「北海道の集合住宅づくり」
甲第６号証として、「昭和６３年　住宅・都市整備公団委託業務　報告書　ダクト方式による暖冷房・換気システムの開発研究（その２）　財団法人　住宅・建築　省エネルギー機構」
甲第７号証として、「特開平６−２２９６０６号公報 」
甲第８号証として、「特開平４−２０７３２号公報」
甲第９号証として、「特開昭６２−１９０３４１号公報」
甲第１０号証として、「特開平１−３１２３３９号公報」
を提出すると共に、甲第２、３号証が、本件特許に係る出願の出願前に頒布された事実を立証するために、
参考資料１として、「National/Panasonic技術研修コースご案内　1996年4月〜1997年3月　株式会社松下流通研修所　技術研修センター主催」
参考資料２として、「ＡＦ３Ａ　コース運営手順書」
参考資料３として、「基本カリキュラム　コース名　高気密・高断熱住宅の気調システム記号（ＡＦ３Ａ）」
参考資料４として、「高気密・高断熱住宅の気調システム（ＡＦ３Ａ）コースカリキュラム 」
参考資料５として、「【受講者名簿】研修名ＡＦ３Ａ　高気密・高断熱住宅の気調システム（平成８年６月１８日〜２０日開催）」
参考資料６として、「【受講者名簿】研修名ＡＦ３Ａ　高気密・高断熱住宅の気調システム（平成８年４月２３日〜２５日開催）」
参考資料７として、「【受講者名簿】研修名ＡＦ３Ａ　高気密・高断熱住宅の気調システム（平成８年７月９日〜１１日開催）」
参考資料８として、「【受講者名簿】研修名ＡＦ３Ａ　高気密・高断熱住宅の気調システム（平成７年１１月８日〜１０日開催）」
参考資料９として、「【受講者名簿】研修名ＡＦ３Ａ　高気密・高断熱住宅の気調システム（平成８年２月１４日〜１６日開催）」
を提出し、さらに、甲第２，３号証が頒布された事実を
証人　三浦　孝之
により明らかにする用意がある旨の主張を伴って、概略以下の主張をなしている。
（なお、証人三浦孝之に係る証拠調べは、職権により行われた。）
　甲第１号証は、本件特許に係る出願の出願前に頒布された刊行物であり、本件請求項１に係る発明の構成中、換気ユニット本体が、各フロアの天井裏に設けられる旨の点、及び、平面視で吹き出し口が建物の外周縁の近傍に設けられ、吸入口が建物の内側部分に設けられた旨の点を除いて記載されており、それらの点は、甲第２〜５号証に記載されている。
　甲第１号証には、本件請求項３に係る発明の構成中、換気ユニット本体及び配管が、各フロアに独立して設けられる旨の点、及び、平面視で吹き出し口が建物の外周縁の近傍に設けられ、吸入口が建物の内側部分に設けられた旨の点を除いて記載されており、その点は、甲第２〜５号証に記載されている。
　本件特許の請求項２、４〜１０により付加される構成は、甲各号証に示されるものであり、格別の事項ではない。
　したがって、本件請求項１〜１０に係る各特許発明は、いずれも甲第１〜１０号証に記載されたものに基づいて当業者が容易に発明をすることができたものであるから、特許法第２９条第２項の規定により特許を受けることができないものであり、特許法第１１３条第２号の規定により取消されるべきものである。
　
３−２　本件の発明
　本件の各請求項に係る発明は、訂正された特許請求の範囲に記載された以下の事項によりそれぞれ特定されるものである。
　　【請求項１】　上下に複数のフロアを有する建物において、当該建物の各フロア毎に独立して１個設置された換気ユニット本体により、当該建物の同一フロアの換気をするようにしたセントラル換気装置であって、
　前記換気ユニット本体は、各フロアの天井の裏側に設けられ、
　前記換気ユニット本体により供給される空気を室内へ吹き出す吹き出し口が天井面に複数設けられ、
　外部に排気するために前記換気ユニット本体に室内の空気を吸い込ませる吸入口が一フロア全体で一箇所設けられ、
　かつ、平面視で、前記吹き出し口が前記建物の外周縁近傍に設けられ、前記吸入口が前記建物の内側部分に設けられていることを特徴とするセントラル換気装置。
　　【請求項２】　上下に複数のフロアを有する建物における室内を換気可能なセントラル換気装置であって、
　室内と室外との間を連通する筒状の配管と、この配管の内部における強制的な空気の流れを形成する換気ユニット本体とが天井の裏側に設けられ、
　この換気ユニット本体及び配管が、建物の各フロア毎に独立して形成され、かつ、前記換気ユニット本体が各フロア毎に１個設置され、前記換気ユニット本体により供給される空気を室内へ吹き出す吹き出し口が一フロアに複数設けられ、外部に排気するために前記換気ユニット本体に室内の空気を吸い込ませる吸入口が一フロア全体で一箇所設けられ、
　かつ、平面視で、前記吹き出し口が前記建物の外周縁近傍に設けられ、前記吸入口が前記建物の内側部分に設けられていることを特徴とするセントラル換気装置。
　　【請求項３】　前記換気ユニット本体には、前記吸入口が直接設けられていることを特徴する請求項２に記載のセントラル換気装置。
　　【請求項４】　前記吸入口は、前記換気ユニット本体の直下の天井面に開口されていることを特徴する請求項２または請求項３に記載のセントラル換気装置。
　　【請求項５】　配管は、建物の外部の空気を室内に取り入れるために建物の外部から換気ユニット本体に連通する外部吸入配管と、この外部吸入配管から吸入された空気を換気ユニット本体を介して建物の同一フロアの室内に供給する室内供給配管と、その室内供給配管が配置された室内と同一フロアの室内の空気を換気ユニット本体に吸入する前記吸入口としての室内吸入口と、この室内吸入口から吸入された空気を外部に排気するために換気ユニット本体から外部まで連通する外部排気配管とを備えたことを特徴とする請求項２ないし請求項４のいずれかに記載のセントラル換気装置。
　　【請求項６】　室内供給配管は、物を収納するための室内収納部に連結されていることを特徴とする請求項２ないし請求項５のいずれかに記載のセントラル換気装置。
　　【請求項７】 換気ユニット本体は、室内側に位置する室内吸入口から吸入されて外部排気配管から室外に排出される空気と、室外側に位置する外部吸入配管から吸入されて室内供給配管から室内に供給される空気との間で、熱交換をする熱交換部を備えたことを特徴とする請求項２ないし請求項６のいずれかに記載のセントラル換気装置。
　　【請求項８】 換気ユニット本体は、室内側に位置する室内吸入口から吸入されて外部排気配管から室外に排出される空気と、室外側に位置する外部吸入配管から吸入されて室内供給配管から室内に供給される空気との間で、空気中に含まれる水分の交換をする水分交換部を備えたことを特徴とする請求項２ないし請求項７のいずれかに記載のセントラル換気装置。
　　【請求項９】 前記建物が一戸建ての住宅であることを特徴とする請求項２ないし請求項８のいずれかに記載のセントラル換気装置。
　
　なお、訂正の認められた本件明細書には、異議申立人三菱電機株式会社が後日主張したように、フロア全体に吸い込み口が単一である旨の構成、及び、平面視で吹き出し口が建物の外周縁の近傍に設けられ、吸入口が建物の内側部分に設けられた旨の構成が各請求項に記載されている。
　そこで、原出願の願書に最初に添付された明細書及び図面をみると、何れの図面においても、吸入口は、建物の内側部分に設けられており、吹き出し口の一部は建物の外周縁近傍に設けられたものが記載されている。さらに、吹き出し口を建物の外周縁近傍に設けないものは、何等記載されていない。
　しかも、吹き出し口の位置について、建物の外周縁近傍に設けることを否定する特定の位置に設けることを前提とした開示は、同明細書及び図面には認められない。
　したがって、吸入口を建物の内側部分に設けること、および、吹き出し口を建物の外周縁近傍に設けることは、原出願の願書に最初に添付された明細書及び図面に記載された事項である。
　また、異議申立人三菱電機株式会社は、吹き出し口を建物の外周縁近傍に設ける旨の記載により、様々な吹き出し口の位置のパターンが含まれることとなる旨主張するが、それらは、吹き出し口位置を何等記載しないことによっても考え得る様々なパターン以上のものではなく、同記載により、新たに含まれることとなるものは、何等存在しない。
　さらに、願書に最初に添付された明細書及び図面を見ると、図５には、室内吸入口を示す符号５０が２つあり、一見すると室内吸入口の数として１以外のものが記載されるとも見えるところ、残余の図面に室内吸入口を示す（５０）、（５１）、（５２）の符号は、フロアに一台示される換気ユニット（２０）、（２１）、（２２）に対して一個所のみ記載され、図面の簡単な説明に、「【図５】・・換気ユニット本体を天井に取り着けた状態を示す縦断面図である。」と記載され、図５の記載は、換気ユニット本体２０の下面に設けた１の吸入口の分断された複数の部分が記載される断面図であると解されるので、願書に最初に添付された明細書及び図面には、図５の記載も含めて、室内吸入口の数が１であるものが記載されている。
　なお、室内吸入口の数が１のものが記載されていることは、そのことによって、１または複数が記載されているか否かはさておいて、１のみのものを含めて室内吸入口の数として１が開示されているというべきである。
　したがって、これら構成が願書に最初に添付された明細書または図面に記載されたものではないことを前提として、異議申立人三菱電機株式会社が後日主張した、不適法な補正がなされた旨の主張は採用できない。　
　
３−３　当審の判断
３−３−１　各異議申立人が引用した文献の頒布について
３−３−１−１　異議申立人三菱電機株式会社の提出した文献
　異議申立人三菱電機株式会社は、甲第２号証として、「三菱ロスナイ換気空調システム（天井埋込型）　技術マニュアル・ＶＬ−９０５ＨＣＲ［冷暖房ユニット］」 、及び、甲第３号証として、「三菱ロスナイ換気空調システム　技術マニュアル」を本件出願前に頒布された刊行物として引用している。
　これら文献の頒布について検討すると、乙第２号証の１〜４によれば、日産住設株式会社は、甲第２，３号証のものを自由に閲覧させる行為を行っていたとは認められず、そのことは、建設会社が他社のパンフレット、技術資料等を自由に閲覧させる所謂図書館のような行為を行っていないことが通常であることとも合致している。
　これに対して、甲第４号証の「日産住設株式会社　代表取締役　澳原広明　作成の証明書」は、甲第２，３号証のものを自由に閲覧できる状態にあったとしているが、証明者である澳原広明が、その証明内容を十分に理解して証明をなしたものであるか必ずしも定かではなく、同証明書をもって、直ちに甲第２，３号証を日産住設株式会社が一般の閲覧に供していたとすることはできない。また、同証明書によっては、日産住設株式会社の甲第２，３号証の入手がどのような経緯によるものか定かではなく、同証明書は、日産住設株式会社の甲第２，３号証の入手が頒布にであることを証明するものではなく、同証明書によっては、甲第２，３号証が頒布された事実を認めることができない。
　しかしながら、日産住設株式会社が甲第２，３号証のものを自由に閲覧させる行為をなしていないことを、乙第２号証が示していることは、甲第２、３号証が頒布された事実を直ちに否定するものではないので、以下、甲第２，３号証の頒布についてさらに検討する。
　証人野田智也の証言によれば、甲第２号証の裏表紙に記載される「９５年４月作成」は、甲第２号証のものが完成し、配布できるようになった時期を意味しており、その後１月程度で配布先に届けられたものであり、甲第３号証のものとともに、多数の工務店に対するＰＲ資料として使用される外に、工場への来客に対する配付資料としても用いられてきたものであり、１９９７年に改訂を行うまで使用されていたものである。また、同証言に基づいてみれば、甲第３号証の裏表紙に記載される「１９９４年９月作成」も同趣旨の記載と認められる。そして、販売店、代理店、及び関係する工事業者への配布が、どのような契約下になされたものであるのか定かではなく、同証言のみによっては、それら配布を直ちに頒布であるとすることはできないものの、その配布の中には、商談会での配布があったこと、工場への来客に対する資料としての配付があったことが認められ、それらに守秘義務を課して配布したとは考え難く、甲第２，３号証は、本件に係る特許の出願日である平成８年１０月９日前に頒布されたものと認める。
　なお、甲第２証のものが、複数回にわたり印刷された旨の証言があり、提出された甲第２号証、商談会に使用されたもの、資料１として、「中電来客予定表」に示されるものが、証言によっては、その何れの印刷に係るものであるかは定かでないものの、それらは、同一の内容のものであると認められるから、結果として、上記認定を妨げるものではなく、同認定を妨げる特段の事情は他に存在しない。
　また、甲第１号証は、それ自体に「’９５カタログ」（表紙）及び「このカタログの記載内容は平成７年５月現在のものです。」（最終葉）と記載されており、さらに、商品価格の記載があることから、１９９５年に用いられたカタログであると認められ、しかも、「●据付・電気工事等が必要な場合があります。お買い上げの販売店または専門業者にご相談ください。」（最終葉）からみて特定の契約下にある販売店等の専門業者に対してのみ配布するものではなく、
「●ご使用の際は、取扱説明書をよくお読みの上正しくお使いください。」（最終葉」）「このカタログの内容についてのお問い合わせは、下記の販売店にご相談ください。」（最終葉）との記載から見て購入者である一般消費者へ配布されたカタログであると認められるので、本件に係る出願の出願前に頒布された刊行物と認める。
　
３−３−１−２　異議申立人松下精工株式会社の提出した文献
　次に、異議申立人松下精工株式会社は、甲第１号証として「大川端リバーシティ２１Ａ棟３７Ｆにおける、一つの事例を徹底分析！　超高層集合住宅ガス設備計画　都市排熱利用による給湯暖房システムと機器開発例　」を本件に係る出願の出願前に頒布された刊行物として引用している。しかしながら、甲第１号証には、「平成３年６月２１日　ジャテックインターナショナル発行  「非売品」」と記載されており、本件特許に係る出願前の時期である平成３年６月２１日に発行されたものと認められるものの、非売品であり、発行後どのように扱われたものであるのかを特定する他の証拠は何等認められないので、甲第１号証は、特許法にいう「頒布」されたものであるのか定かではなく、本件に係る出願の出願前に頒布された刊行物であるとは認められない。
　また、異議申立人松下精工株式会社は、甲第２号証として「Ｎａｔｉｏｎａｌ　ナショナル設備機器　設置工事技術資料　気調システム　熱交換気冷暖房ユニット編　ヒートポンプ（２分岐）式」を、甲第３号証として「Ｎａｔｉｏｎａｌ　ナショナル設備機器　設置工事技術資料　熱交換気冷暖房ユニット編　ヒートポンプ式　天井埋込形　」を本件に係る出願の出願前に頒布された刊行物として引用し、その頒布について、特許権者は争いをなしている。
　これについて検討すると、証人三浦孝之の証言によれば、甲第２号証 の「Ｎａｔｉｏｎａｌ　ナショナル設備機器　設置工事技術資料　気調システム　熱交換気冷暖房ユニット編　ヒートポンプ（２分岐）式」は、１９９６年に、株式会社松下流通研修所が行った、技術研修コース「高気密・高断熱住宅の気調システム（ＡＦ３Ａ）」のテキストとして使用され、異議申立人松下電工株式会社が提出した参考資料１，５〜９及び証人三浦孝之の証言によれば、同研修コースには、松下精工株式会社と関係のある者以外の者も受講をすることができたものと認められるので、同研修コースにおいて使用されたことにより、甲第２号証の刊行物は、頒布されたというべきであり、これに反する特段の事実は認められない。
　なお、乙第１号証の示す事実が、その時点において、メールによる依頼によっては甲第２号証の刊行物を入手することができないことを示すとしても、上記研修コースでの使用に係る事実を何等否定するものではない。
　次に、証人三浦孝之の証言によれば、甲第３号証も同様に使用された旨の証言もあるが、証人自身が使用したものは、甲第２号証であると証言されており、甲第３号証の上記研修コースでの使用については未だ明らかではない。
　また、甲第２号証に記載される「９５年２月発行　管理Ｎｏ．ＴＭ−２２」中の「９５年２月発行」の意味について、その時期には配布するために発送できることを前提として記載されている旨証言されており、証人が当時作成に関与していたものが甲第２号証のみであった旨の証言を考え併せれば、それが他の作成物の記載との錯誤がなされているとは考え難く、甲第２号証の作成に係ることを言うことは疑いのないものである。そして、甲第３号証に記載の「９３年１０月発行」が、同様の意図を持って記載されているとしても、甲第３号証の配布が、どのような条件を下での配布であるのかは、同証人の証言及び残余の証拠によっては、未だ明らかではない。
　さらに、同証人の証言には、甲第２号証に係る郵送での配布について、証人自身が外部からの電話での請求に対する郵送を行った旨証言はなされたものの、これは、甲第２号証に係るものであり、甲第３号証に関する他の部署が担当した配布が、誰に対する配布であるのか、どのような条件を付して、または何らの条件を付さない配布であるのかを直ちに特定できる特段の証言は認められない。したがって、甲第３号証が頒布された事実を特定するものは、証人三浦孝之の証言を含めても何等認められない。
　よって、甲第３号証が本件に係る出願の出願前に頒布されたものと認めることはできない。
　さらに、異議申立人松下精工株式会社が、本件に係る出願の出願前に頒布された刊行物として引用した、甲第５号証の「北海道の集合住宅づくり」には、その発行日を示す直接の記載は認められず、第３頁に「北海道住宅都市部　平成７年３月」と記載され、同号証の最終葉に「■発行　北海道住宅都市部」と記載されている。この「北海道住宅都市部　平成７年３月」は「北海道住宅都市部」が、本書に期待する事項を記載した「はじめに」なる文章を作成した時期として、平成７年３月を記すものと思慮され、本書自体は、その後のいかなる時期に頒布されたものであるのかは定かでなく、それを示す特段の客観的証拠はない。
　また、同じく引用された、甲第６号証の「昭和６３年　住宅・都市整備公団委託業務　報告書　ダクト方式による暖冷房・換気システムの開発研究（その２）　財団法人　住宅・建築　省エネルギー機構」は、表紙に、「昭和６３年度　住宅・都市整備公団委託業務　報告書」と記載され、次葉に、
「２．委託者
　住宅・都市整備公団
３．受託者
　（財）住宅・建築　省エネルギー機構」と記載さることから見て、表紙に記載される「平成元年２月」は、本報告書が受託者より委託者へ報告された時期を示すものと認められる。平成元年当時、委託された業務の成果物は、委託者に帰属することが通常であり、本報告書中に記載されるノウハウ等を含め、その公表は委託者の意志に委ねられていたと推認されるので、「平成元年２月」を甲第６号証の頒布時期とすることはできず、甲第６号証の頒布または公開の時期は、委託者が、同報告書を第三者に対して頒布または公表等した時期であるところ、それら事実を立証する特段の証拠は何等認められないので、甲第６号証は、本件出願前に頒布された刊行物とは、認められない。
　したがって、異議申立人松下精工株式会社が提出した、甲第５，６号証の刊行物は、本件に係る出願の出願前に頒布されたものとは認められない。
　異議申立人松下精工株式会社が本件出願前に頒布された刊行物として引用した残余の甲各号証は、それらに記載される発行の時期に頒布されたものと認められ、しかも、その頒布に関し争いはない。
　
３−３−２　対比判断
３−３−２−１　請求項１、２に係る発明について
　本件請求項１に係る発明は、３−２に述べたとおり特定されるものであるから、
「・・前記換気ユニット本体により供給される空気を室内へ吹き出す吹き出し口が・・複数設けられ、
　外部に排気するために前記換気ユニット本体に室内の空気を吸い込ませる吸入口が一フロア全体で一箇所設けられ、
　かつ、平面視で、前記吹き出し口が前記建物の外周縁近傍に設けられ、前記吸入口が前記建物の内側部分に設けられている・・」構成（以下、「構成Ａ」という。）をその構成の一部として有するものであり、請求項２に係る発明も、請求項２に「・・前記換気ユニット本体により供給される空気を室内へ吹き出す吹き出し口が・・複数設けられ、外部に排気するために前記換気ユニット本体に室内の空気を吸い込ませる吸入口が一フロア全体で一箇所設けられ、
　かつ、平面視で、前記吹き出し口が前記建物の外周縁近傍に設けられ、前記吸入口が前記建物の内側部分に設けられている・・」と記載されるのであるから、構成Ａをその構成の一部として有するものである。
　これに対して、異議申立人三菱電機株式会社の提出した刊行物である甲第１号証の刊行物には、第１、２、４、５頁の記載から見て、
上下に複数のフロアを有する建物に設けられるとともに、当該建物の各フロア毎に独立して１個設置された室内機ユニットにより、当該建物の同一フロアの換気をするようにしたセントラル換気装置であって、
室内と室外との間を連通する筒状の配管と、この配管の内部における強制的な空気の流れを形成する室内機ユニットとが各フロアの天井の裏側に設けられ、
　この室内機ユニット及び配管が、建物の各フロア毎に独立して形成され、かつ、前記室内機ユニットが各フロア毎に１個設置され、前記室内機ユニットにより供給される空気を室内へ吹き出す吹き出しグリルが一フロアに複数設けられ、外部に排気するために前記室内機ユニットに室内の空気を吸い込ませる吸入グリル、及び、吸入グリルが設けられるものが記載されるものと認められ、吹き出しグリルは、概ね前記建物の外周縁近傍に設けられるものの、第１，２頁に記載される集中吸込ボックスは、建物の内側部分に設けられるものと認められるが、吸入グリルは、複数設けられるものとしてのみ開示されており、同刊行物のものは、複数の吸入口を有するものとして開示されており、上記構成Ａを開示するものではない。
　また、同じく提出された甲第２号証には、第２頁の「２．外形寸法図　（１）ロスナイ換気冷暖房ユニット（ＶＬ−９０５ＨＣＲ）」と題した図面、さらに、第４頁の「３．各部の名称」、並びに、「４．標準設置例」および第１０頁の「システム設計編　２．ダクト配管　■空気の流れ」、「■ダクト配管の目安」と題した各図面の記載を総合すると、「４．標準設置例」の記載は、単一のフロアーのものであるから、結果として、各ダクトは、同一のフロアの天井懐に設けられているので、同刊行物には、本件請求項１に係る発明に対応し、
上下に複数のフロアを有する建物ににおいて、前記建物のフロアに１個設置された換気冷暖房ユニットによりフロアの換気をするようにしたセントラルな換気空調装置であって
換気冷暖房ユニットは、フロアの天井の裏側に設けられ、
換気冷暖房ユニットにより供給される空気を室内に吹き出す吸気グリルが天井面に複数設けられ、
外部に排気するために換気冷暖房ユニットに室内の空気を吸い込ませるＲＡ環気（循環用）の１つの吸入口とＲＡ環気（排気用）のダクトに設けられた１〜３箇所の吸入口が設けられ、
かつ、平面視で、前記室内供給管の下流側端部に設けられる複数の複数の吹き出し口である吸気グリルは、前記建物の外周縁近傍に配置され、前記吸入口は、前記建物の内側部分にも配置されている換気空調装置
の発明が記載されるものと認められから、この範囲においては、同刊行物のものは、複数の吸入口を有するものとして開示されており、上記構成Ａを開示するものではない。
　さらに、同刊行物には、
「ＲＡ環気（排気用）ダクトを設けず、ユニットの下面からＲＡ環気（排気用）を取り込むことも可能です。」（第１０頁）と記載されている。
　さらに、同刊行物の後日提出された部分をみると、第１８頁に、図面と共に、
「ＲＡダクトを接続しない場合
（１）本体内部の仕切板を外し、仕切板にネジ止めしてあるカバーを外します。・・（３）カバーをダクト接続口外した穴に取着けます。」
と記載されている。
　これら記載を併せ参照すると、異議申立人三菱電機株式会社が平成１４年８月７日付けで提出した陳述要領書第４頁に記載され「＜ＲＡ排気ダクトをユニット側面に接続しない場合＞」と表題される図の空気の流れを得るものが同刊行物から把握可能であるものの、それによっても、第２のファンは、ＲＡ環気（循環用）の１つの吸入口から吸入された空気と、ＯＡ外気ダクトから吸入された空気の両空気が混在する部位から、空気を吸い込むように配置されるものとなり、その吸入口は、ＲＡ環気（循環用）のみとなるものではなく、ＯＡ外気ダクトからも吸入するものとなり、上記構成Ａを開示又は示唆するものではない。
　
　次いで、循環を行わない換気装置自体は周知であることを前提として、同周知の環気装置に適用可能な技術として、同刊行物より把握可能な技術について検討すると、「ＲＡ環気（排気用）ダクトを設けず、ユニットの下面からＲＡ環気（排気用）を取り込むことも可能です。」と記載されることは、ＲＡ環気（排気用）を吸い込む位置として、ＲＡ環気循環用の空気の流れに開口を設けてＲＡ環気（排気用）を吸い込む示すのみであって、例え、ＲＡ環気（循環用）の吸い込み口が換気冷暖房ユニットの下面に１つ設けるものとして記載されていても、それは、ＲＡ環気（循環用）の吸い込み口の位置であり、ＲＡ環気（排気用）を吸い込む位置は、Ａ環気（循環用）の流れの途中でしかないのであり、同刊行物に開示される事項から、排気用の吸入口を天井面に１つ設けることを技術思想として把握できるものではない。
　
　したがって、循環を行わない換気装置自体は周知であるとしても、上記構成Ａを、周知の技術及び同刊行物の記載から容易に想到し得たとすることはできない。
　さらに、異議申立人が主張したように、吸入口の数は機器の能力や部屋の大きさ、間取りによって決定する設計的事項に過ぎないことがあるとしても、上記構成Ａの採用により、複数の吹き出し口から一箇所の吸入口へ向かって空気が流れることとなり、複数の吹き出し口から吸入口までの間に複数の気流が生じても、これらの気流が互いに逆方向とならず、風量が小さくとも室内の隅々までむらなく換気できるという格別の効果が得られることは明らかであるので、この点を設計上の事項に属するとすることはできない。
　さらに、特許異議申立人三菱電機株式会社の引用した他の文献をみると、甲第３号証に記載のものは、上記構成Ａを開示又は示唆するものではない。
　他に上記相違点の構成を慣用される技術であるとする客観的証拠は、異議申立人三菱電機株式会社が後日引用したものを見ても何等ない。
　よって、上記構成Ａをその構成の一部とする本件請求項１、２に係る発明を、上記構成Ａを開示するものではなく、それを示唆するものでもない特許異議申立人三菱電機株式会社が提出した甲各号証の刊行物に記載された発明とすることはできないばかりではなく、特許異議申立人三菱電機株式会社が提出した甲各号証の刊行物に記載された発明から当業者が容易に発明をすることができた発明とすることはできない。
　
　次に、特許異議申立人松下精工株式会社が引用した文献の記載をみると、甲第１、３，５、６号証のものは、３−３−１−２に述べたとおり、本件出願前に頒布されたものであるか定かではなく、しかも、それらの開示は何れも複数の吸い込み口によるものであって、１の吸い込み口を開示するものではないから、建物の内側部分に配置されている１個設けられた吸入口と複数の吹き出し口を開示又は示唆するものではなく、上記の構成Ａを開示又は示唆するものではない。甲第２、４号証のものも、複数の吸い込み口によるものであり、複数の吸い込み口によるものであって、１の吸い込み口を開示するものではないから、建物の内側部分に配置されている１個設けられた吸入口と複数の吹き出し口を開示又は示唆するものではなく、上記の構成Ａを開示又は示唆するものではない。
　したがって、特許異議申立人松下精工株式会社が引用した甲第２，４号証は、上記構成Ａを開示又は示唆するものではな。
　さらに、甲第７〜１０号証をみても、上記の構成Ａは開示されていない。
　したがって、両特許異議申立人の提出した証拠は、構成Ａを開示も示唆もなすものではなので、上述の効果を奏する構成Ａをその構成の一部とする本件請求項１，２に係る発明を、それら証拠に記載されたものとすることはできないばかりではなく、それらに基づいて、当業者が容易に発明をすることができたとすることもできない。
　
　なお、本件各発明中、吸入口を換気ユニット本体に直接も受ける旨を構成の一部とする特許明細書の請求項２は、訂正により削除されているのに対して、特許３０５９７２８号の各発明は、吸入口がそれ自身に直接設けられた換気ユニット本体をその構成の一部とするものであるから、その実施例は共通の構成を有するとしても、本件に係る各発明を特許３０５９７２８号のいずれかの発明と同一であるとすることはできない。
　よって、各異議申立人の主張は、採用できない。
　
３−３−２−２　請求項３〜９に係る発明について
　本件請求項３〜９に係る発明は、請求項１、２の記載を引用して特定されることにより、上記構成Ａをそれら発明の構成の一部とするものである。
　そして、各異議申立人が提出した刊行物中本件に係る出願の出願前に頒布されたと認められるものは、上記構成Ａを開示も示唆もなすものではなく、本件請求項３〜９に係る発明をその構成の一部を開示も示唆もなさない各特許異議申立人の提出したそれら刊行物に記載された発明とすることはできないばかりではなく、それらに記載された発明に基づいて、当業者が容易に発明をすることができたものとすることもできない。
　よって、各異議申立人の主張は、採用できない。
　
４．　取消理由通知について
　各取消理由に引用する刊行物には、上記構成Ａの開示がなされるものではなく、それをもって、本件請求項１〜９に係る発明についての特許を取り消すことはできない。
　
５．　むすび
　以上説示の通り、各特許異議申立の理由及び証拠によっては、本件請求項１〜９に係る発明についての特許を取り消すことはできない。
　また、他にそれら発明についての特許を取り消すべき理由を発見しない。
　よって、結論のとおり決定する。
【異議決定日】
平成１５年３月２７日（２００３．３．２７）
【訂正の要旨】
ａ．特許請求の範囲の請求項１における記載
　「各フロア毎に独立して設置された換気ユニット本体」を、特許請求の範囲の減縮を目的として、「各フロア毎に独立して
１個
　「換気ユニット本体に室内の空気を吸い込ませる吸入口が一フロア全体で一箇所設けられ」を、特許請求の範囲の減縮を目的として、「
外部に排気するために
ｂ．特許請求の範囲の請求項２から請求項１０における記載
　特許請求の範囲の請求項２から請求項１０において、特許請求の範囲の減縮を目的として、もとの請求項２を削除し、以下、項数を繰り上げ、「請求項２から請求項９」とする（クレーム対応表参照）。
ｃ．特許請求の範囲の請求項２（特許時の請求項３）における記載
　「換気ユニット本体」を、特許請求の範囲の減縮を目的として、「各フロア毎に１個設置される」ことを限定する。つまり、「建物の各フロア毎に独立して形成され、」と「前記換気ユニット本体」との間に「
かつ、前記換気ユニット本体が各フロア毎に１個設置され、
　「前記換気ユニット本体に室内の空気を吸い込ませる吸入口が一フロア全体で一箇所設けられ」を、特許請求の範囲の減縮を目的として、「
外部に排気するために
ｄ．特許第３０５９６８２号公報（以下、本件公報）第２頁第４欄第４２行〜第４９行（願書に添付した明細書の段落番号【０００７】）における記載
　「そこで、請求項３記載の発明は、…セントラル換気装置を提供しようとするものである。」を、訂正事項ｂの特許請求の範囲の訂正に対応させて、明りょうでない記載の釈明を目的として、「そこで、請求項
２
ｅ．本件公報第２頁第４欄第５０行〜第３頁第５欄第６行（願書に添付した明細書の段落番号【０００８】）における記載
　「これに加えて、請求項６記載の発明は、請求項１記載の発明の配管を具体的に特定したものである。これに加えて、請求項７記載の発明は、…セントラル換気装置を提供しようとするものである。」を、訂正事項ｂの特許請求の範囲の訂正に対応させて、明りょうでない記載の釈明を目的として、「これに加えて、請求項
５
２
６
ｆ．本件公報第３頁第５欄第７行〜第１３行（願書に添付した明細書の段落番号【０００９】）における記載
　「これに加えて、請求項８記載の発明は、…セントラル換気装置を提供しようとするものである。これに加えて、請求項９記載の発明は、…セントラル換気装置を提供しようとするものである。」を、訂正事項ｂの特許請求の範囲の訂正に対応させて、明りょうでない記載の釈明を目的として、「これに加えて、請求項
７
８
ｇ．本件公報第３頁第５欄第１５行〜第２６行（願書に添付した明細書の段落番号【００１０】）における記載
　「建物の各フロア毎に独立して設置された換気ユニット本体」を、訂正事項ａの特許請求の範囲の訂正に対応させて、明りょうでない記載の釈明を目的として「建物の各フロア毎に独立して
１個
　「前記換気ユニット本体に室内の空気を吸い込ませる吸入口」を、訂正事項ａの特許請求の範囲の訂正に対応させて、明りょうでない記載の釈明を目的として、「
外部に排気するために
ｈ．本件公報第３頁第５欄第２６行〜第３３行（願書に添付した明細書の段落番号【００１０】）における記載
　「また、請求項３に記載の発明は、上下に複数のフロアを有する建物における室内を換気可能なセントラル換気装置（１０）であって、室内と室外との間を連通する筒状の配管と、この配管の内部における強制的な空気の流れを形成する換気ユニット本体（２０）とを備え、この換気ユニット本体（２０）及び配管が、建物の各フロア毎に独立して形成されていることを特徴とする。」を、訂正事項ｂ，ｃの特許請求の範囲の訂正に対応させて、明りょうでない記載の釈明を目的として、下記の通り訂正する。
　「また、請求項
２
が天井の裏側に設けられ、この換気ユニット本体（２０）及び配管が、建物の各フロア毎に独立して形成され、かつ、前記換気ユニット本体（２０）が各フロア毎に１個設置され、前記換気ユニット本体（２０）により供給される空気を室内へ吹き出す吹き出し口が一フロアに複数設けられ、外部に排気するために前記換気ユニット本体（２０）に室内の空気を吸い込ませる吸入口が一フロア全体で一箇所設けられ、かつ、平面視で、前記吹き出し口が前記建物の外周縁近傍に設けられ、前記吸入口が前記建物の内側部分に設けられている
ｉ．本件公報第３頁第６欄第３９行〜第４９行（願書に添付した明細書の段落番号【００１５】）における記載
　「請求項６記載の発明は、…備えたことを特徴とする。」を、訂正事項ｂの特許請求の範囲の訂正に対応させて、明りょうでない記載の釈明を目的として、「請求項
５
請求項２ないし請求項４のいずれかに記載の特徴点に加え、
ｊ．本件公報第４頁第７欄第１２行〜第１５行（願書に添付した明細書の段落番号【００１７】）における記載
　「請求項７記載の発明は、上記した請求項３または請求項６記載の特徴点に加え、…特徴とする。」を、訂正事項ｂの特許請求の範囲の訂正に対応させて、明りょうでない記載の釈明を目的として、「請求項
６
２ないし
５のいずれかに
ｋ．本件公報第４頁第７欄第２３行〜第２９行（願書に添付した明細書の段落番号【００１８】）における記載
　「請求項８記載の発明は、上記した請求項３、請求項６または請求項７記載の特徴点に加え、…特徴とする。」を、訂正事項ｂの特許請求の範囲の訂正に対応させて、明りょうでない記載の釈明を目的として、「請求項
７
２ないし
６のいずれかに
ｌ．本件公報第４頁第８欄第１１行〜第１８行（願書に添付した明細書の段落番号【００２２】）における記載
　「請求項９記載の発明は、上記した請求項３、請求項６、請求項７または請求項８記載の特徴点に加え、…特徴とする。」を、訂正事項ｂの特許請求の範囲の訂正に対応させて、明りょうでない記載の釈明を目的として、「請求項
８
２ないし
７のいずれかに
ｍ．本件公報第６頁第１２欄第４１行〜第４７行（願書に添付した明細書の段落番号【００４１】）における記載
　「本発明は、以上のように構成されているので、以下に記載されるような効果を奏する。請求項３または請求項６記載の発明によれば、…セントラル換気装置を提供することができる。」を、訂正事項ｂの特許請求の範囲の訂正に対応させて、明りょうでない記載の釈明を目的として、「本発明は、以上のように構成されているので、以下に記載されるような効果を奏する。請求項
２
５
ｎ．本件公報第６頁第１２欄第４８行〜第７頁第１３欄第５行（願書に添付した明細書の段落番号【００４２】）における記載
　「請求項７記載の発明によれば、…セントラル換気装置を提供することができる。請求項８記載の発明によれば、…セントラル換気装置を提供することができる。」を、訂正事項ｂの特許請求の範囲の訂正に対応させて、明りょうでない記載の釈明を目的として、「請求項
６
７
ｏ．本件公報第７頁第１３欄第６行〜第８行（願書に添付した明細書の段落番号【００４３】）における記載
　「請求項９記載の発明によれば、…セントラル換気装置を提供することができる。」を、訂正事項ｂの特許請求の範囲の訂正に対応させて、明りょうでない記載の釈明を目的として、「請求項
８
（５４）【発明の名称】
セントラル換気装置
（５７）【特許請求の範囲】
　【請求項１】　上下に複数のフロアを有する建物において、当該建物の各フロア毎に独立して
１個
　前記換気ユニット本体は、各フロアの天井の裏側に設けられ、
　前記換気ユニット本体により供給される空気を室内へ吹き出す吹き出し口が天井面に複数設けられ、
　
外部に排気するために
　かつ、平面視で、前記吹き出し口が前記建物の外周縁近傍に設けられ、前記吸入口が前記建物の内側部分に設けられていることを特徴とするセントラル換気装置。
　【請求項
２
　室内と室外との間を連通する筒状の配管と、この配管の内部における強制的な空気の流れを形成する換気ユニット本体とが天井の裏側に設けられ、
　この換気ユニット本体及び配管が、建物の各フロア毎に独立して形成され、
かつ、前記換気ユニット本体が各フロア毎に１個設置され、
外部に排気するために
　かつ、平面視で、前記吹き出し口が前記建物の外周縁近傍に設けられ、前記吸入口が前記建物の内側部分に設けられていることを特徴とするセントラル換気装置。
　【請求項
３
２
　【請求項
４
２
３
　【請求項
５
２
４
　【請求項
６
２
５
　【請求項
７
２
６
　【請求項
８
２
７
　【請求項
９
２
８
【発明の詳細な説明】
　【０００１】
　【発明の属する技術分野】
　この発明は、建物の各フロア毎に独立して形成されるセントラル換気装置に関するものである。
　【０００２】
　【先行技術】
　図７は、従来のセントラル換気装置の概略模式図を示すものである。
　従来のセントラル換気装置１００は、一階の天井部分に、強制的に空気の流れを形成する大型の換気ユニット本体１１０を一台設置して、建物の全てのフロアの室内の空気を換気するものであった。具体的には、一階の天井部分に位置して強制的に空気の流れを形成する１台の大型の換気ユニット本体１１０が一階の天井部分、すなわち二階の床部分に形成されている。そして、このセントラル換気装置１００は、建物の外部の新鮮な空気を室内に取り入れるために建物の外部から換気ユニット本体１１０に連通する外部吸入配管１２０と、この外部吸入配管１２０から吸入された空気を換気ユニット本体１１０を介して建物の室内に供給する室内供給配管１３０，１５０，１４０とを備えている。そして、この室内供給配管１３０，１４０，１５０は、一階の室内に空気を供給するための一階用室内供給配管１３０と、二階の室内に空気を供給するための二階用室内供給配管１４０と、この二階用室内供給配管１４０及び一階用室内供給配管１３０を連結する縦連結配管１５０とから形成されている。
　【０００３】
　そして、このセントラル換気装置１００は、室内の空気を換気ユニット本体１１０に吸入するために一階の室内天井から換気ユニット本体１１０に向かって通ずる室内排気配管１６０と、この室内排気配管１６０により室内から吸入された空気を室外に排出するために室外と換気ユニット本体１１０との間に通ずる外部排気配管１７０とを備えている。
　【０００４】
　【発明が解決しようとする課題】
　しかし、上記した従来のセントラル換気装置１００は、一階と二階との配管の間を連結するための縦方向に延びる縦連結配管１５０を形成しなければならなかった。このため、建物の内部に縦連結配管１５０を建物内部に通すための配管スペースを必要とし、居住空間がその分だけ狭くなるという第１の問題点があった。
　【０００５】
　そして、縦連結配管１５０を有するため、配管の長さが長くなり、配管コストがかさむという第２の問題点があった。
　そして、配管の総延長が長くなるので、全ての配管の先端まで空気を供給するために送給能力の高い大型の空気の送給機器からなる換気ユニット本体１１０を必要とするという第３の問題点があった。
　【０００６】
　また、最近では、狭い土地の有効利用という面から三階建て住宅が増えてきているが、この三階建て住宅に従来のセントラル換気装置１００を使用しようとすると、配管の総延長も更に長くなり、換気装置本体の空気送給能力も更に大型のものを必要とし、高コストのものとなった。このため、従来のセントラル換気装置１００は、三階建て以上の住宅に適用することが難しくなるという第４の問題点があった。
　【０００７】
　そこで、請求項
２
　【０００８】
　これに加えて、請求項
５
２
　これに加えて、請求項
６
　【０００９】
　これに加えて、請求項
７
　これに加えて、請求項
８
　【００１０】
　【課題を解決するための手段】
　本発明のうち、請求項１に記載の発明は、上下に複数のフロアを有する建物において、当該建物の各フロア毎に独立して
１個
外部に排気するために
　また、請求項
２
が天井の裏側に設けられ、この換気ユニット本体（２０）及び配管が、建物の各フロア毎に独立して形成され、かつ、前記換気ユニット本体（２０）が各フロア毎に１個設置され、前記換気ユニット本体（２０）により供給される空気を室内へ吹き出す吹き出し口が一フロアに複数設けられ、外部に排気するために前記換気ユニット本体（２０）に室内の空気を吸い込ませる吸入口が一フロア全体で一箇所設けられ、かつ、平面視で、前記吹き出し口が前記建物の外周縁近傍に設けられ、前記吸入口が前記建物の内側部分に設けられている
　【００１１】
　なお、ここで、このセントラル換気装置（１０）が「建物の各フロア毎に独立して形成される」とは、換気ユニット本体（２０）と、それに関する配管とが、建物の同一フロアの換気をするために各フロア毎に独立してそれぞれ形成されていることを意味するものである。例えば、二階建ての建築躯体の場合、セントラル換気装置（１０）の一階用として、一階用換気ユニット本体（２１）と、それに関する一階用の配管とからなる一階用セントラル換気装置（１１）を一階の天井部分に配置し、二階用として、二階用換気ユニット本体（２２）と、二階用の配管とからなる二階用セントラル換気装置（１２）を二階の天井部分に配置するものを含むものである。そして、この一階用セントラル換気装置（１１）と二階用セントラル換気装置（１２）とは、縦方向の配管等により連結されることなく、各フロア毎に独立して配置され、独立して運転可能に形成されるものを含むものである。
　【００１２】
　また、「室内と室外との間を連通する筒状の配管」とは、一方の端部が室外の外壁に開口し、他方の端部が室内の内壁に開口するような筒状のものである。この配管は、室外の新鮮な空気を室内に供給するための供給専用のもの、若しくは室内の空気を室外に排出するための排出専用のもの、これらのうちいずれか一本を形成するものでも良く。さらに、供給専用と排出専用との二本を並列に形成するものも含むものである。
　【００１３】
　また、「配管の内部における強制的な空気の流れを形成する換気ユニット本体（２０）」とは、電動モーターと、この電動モーターにより回転する多数の羽根とからなり、回転する羽根により発生する強制的な空気の流れを利用して、配管の内部の空気をいずれかの方向に強制的に移動させることができるものである。具体的には、羽根車の回転に伴って気体の遠心力を利用し、気体を圧送するシロッコファンや、プレートファン等の遠心送風機、或いはターボブロア、または数枚の羽根を軸に対して半径方向に取り付け、扇風機のように気体は軸方向に流動し、遠心力によるものではなく羽根の揚力作用による軸流送風機等を含むものである。
　【００１４】
　本発明は、建物の各フロア毎に独立して形成されている。このため、各フロア間の縦方向に空気の供給或いは排気用の配管を通す必要がなく、かかる縦方向の配管をフロア間に通すためのスペースを設ける必要がない。これにより、かかる縦方向の配管スペースのために、居住空間が狭くなることもなく、建物の内部空間の有効利用を図ることができる。また、かかる縦方向の配管を必要としないため、配管の総延長も短くすることができ、配管コストも抑えることができる。また、配管の総延長も短くなり、各フロアのみの換気能力さえあれば足りるため、各フロアに設ける換気ユニット本体（２０）の能力も全館換気と比較して小型のものにすることができる。そして、各フロア毎に独立して形成するため、建物が三階建て以上のものとなっても、同じ配管、機器、設備を各フロア毎に形成すれば足りるため、三階建て以上の建物にも容易に対応することができる。また、二階建てを三階建て以上に増改築するような場合にも、同一の装置を組み込むだけで、容易に対応することができる。
　【００１５】
　請求項
５
請求項２ないし請求項４のいずれかに記載の特徴点に加え、
　【００１６】
　本発明は、外部吸入配管（３０）から建物の外部の空気を吸入し、吸入した空気は、換気ユニット本体（２０）を介して室内供給配管（４０）により建物の同一フロアの室内に供給する。これにより、建物外部の新鮮な空気を同一フロアの室内に供給することができる。そして、室内の空気は、室内吸入口（５０）から換気ユニット本体（２０）に吸入され、そこから外部排気配管（６０）により、建物の外部に排出される。これにより、室内の空気を建物の外部に排出することができる。したがって、建物の内部の室内の空気と、建物の外部の空気との一部を交換することができ、いわゆる同一フロアにおける室内の換気をすることができる。
　【００１７】
　請求項
６
２ないし
５のいずれか
　本発明は、室内供給配管（４０）が、室内収納部（例えば、クローゼット７１や、押入７３，７２等）に連結されている。このため、室内供給配管（４０）を、室内側から見えないように室内収納部（７１）の内部に隠すことができ、室内外観を良好なものにすることができる。そして、室内収納部（７１）を介して、室内に向かって新鮮な空気を供給することができるため、室内収納部（７１）の換気も同時に行うことができる。
　【００１８】
　請求項
７
２ないし
６のいずれか
　【００１９】
　なお、ここで、「熱交換部」とは、室外に排出される空気と室内に供給される空気とで内部の空気を直接、混合させることなく、熱の移動のみを行うことができるものである。例えば、熱伝導率が大きな金属や樹脂等からなるストロー状の極細薄肉円筒管を多数、配列したものである。そして、室外に排出される空気と室内に供給される空気とのいずれか一方をストロー状の円筒管の内部を通過させ、他方をその円筒管の周囲を通過させるような構造のものである。これにより、室外に排出される空気と、室内に供給される空気とで温度差がある場合に温度が高い方の熱が薄肉円筒管を介して温度が低い方に伝わるように形成されているものである。もちろん、熱交換部は、上述した構造のものに限定されることなく、熱交換機能を有するものであれば、他の構造からなるものでも良いものである。
　【００２０】
　本発明に係る換気ユニット本体（２０）は、室外に排出される空気と、室内に供給される空気との間で熱交換をする熱交換部を備えている。このため、室内を暖房した状態において、室内から室外に排気される暖かい空気は、熱交換部により熱が吸収され、その吸収された熱は、室外から室内に吸い込まれる室外の冷たい空気に加えられる。これにより、室内には、室外より温度が高い空気が送られることとなり、暖房状態における熱効率の低下を抑えることができる。
　【００２１】
　一方、室内を冷房した状態において、室外から室内に吸い込まれた暖かい空気は、熱交換部により熱が吸収され、その吸収された熱は、冷やされた室内から室外に排出される空気に加えられる。これにより、室内には、室外より温度が低い空気が送られることとなり、冷房状態における熱効率の低下を抑えることができる。
　【００２２】
　請求項
８
２ないし
７のいずれか
　【００２３】
　なお、ここで、「水分交換部」とは、室外に排出される空気と室内に供給される空気とで内部の空気を直接、混合させることなく、水分の移動のみを行うことができるものである。例えば、水分を吸湿し易い和紙や化学繊維等の吸湿材料からなるストロー状の極細薄肉円筒管を多数、配列したものである。そして、吸気と排気とのいずれか一方をストロー状の円筒管の内部を通過させ、他方をその円筒管の周囲を通過させるような構造のものである。これにより、室外に排出される空気と、室内に供給される空気とのいずれか一方が水分を多く含んだ空気であって、他方が乾燥した空気の場合に水分を多く含んだ方の空気中の水分が吸湿材料からなる薄肉円筒管を介して湿度が低い方に伝わるように形成されているものである。もちろん、水分交換部は、上述した構造のものに限定されることはなく、他の水分を交換させることができる機能を有するものであれば、他の構造のものでも良いものである。
　【００２４】
　本発明に係る換気ユニット本体（２０）は、室外から室内に吸い込まれた空気と、室内から室外に排出される空気との間で空気中に含まれる水分の交換をする水分交換部を備えている。このため、室内の湿度が高い状態において、室内から室外に排気される水分を多く含んだ空気は、水分交換部により水分が吸収される。そして、その吸収された水分は、室外の乾燥した空気が室外から室内に吸い込まれるときに乾燥した空気に加えられる。これにより、室内には、室外より湿度が高い空気が送られることとなり、常に室外より湿度が高い状態を維持することができる。
　【００２５】
　また、室内の湿度が低い状態において、室外から室内に吸い込まれた水分を多く含んだ空気は、水分交換部により水分が吸収され、その水分は、室内の乾燥した空気が室内から室外に排出されるときに加えられる。これにより、室内には、室外より湿度が低い空気が送られることとなり、室内の湿度を常に室外より低い状態に維持することができる。
　【００２６】
　【発明の実施の形態】
　以下、本発明の実施の形態を図面に基づいて、更に詳しく説明する。図１乃至図６は、本発明の実施の形態を示すものであり、図１はセントラル換気装置の概略模式図、図２はセントラル換気装置を配置した建物の概略斜視図、図３はセントラル換気装置の一階の配管の配置の概略平面図、図４はセントラル換気装置の二階の配管の配置の概略平面図、図５は換気ユニット本体を天井に取り付けた状態の縦断面図、図６は給気グリルを天井に取り付けた状態の縦断面図をそれぞれ示す。
　【００２７】
　まず、本実施の形態の構成について説明する。
　本実施の形態に係るセントラル換気装置は、上下に二つのフロアを有する二階建ての建物における室内を換気可能なものである。このセントラル換気装置１０は、室内と室外との間を連通する筒状の配管と、この配管の内部における強制的な空気の流れを形成する換気ユニット本体２０とを備えている。そして、この換気ユニット本体２０及び配管が、建物の同一フロアの換気をするために建物の各フロア毎に独立して形成されていることを特徴とするものである。具体的には、セントラル換気装置１０の一階用として、一階用換気ユニット本体２１と、それに関する一階用の配管とからなる一階用セントラル換気装置１１が一階の天井部分に配置されている。そして、二階用として、二階用換気ユニット本体２２と、二階用の配管とからなる二階用セントラル換気装置１２が二階の天井部分に配置されている。そして、この一階用セントラル換気装置１１と二階用セントラル換気装置１２とは、縦方向の配管等により連結されることなく、一階及び二階の各フロア毎に独立して配置され、独立して運転可能に形成されている。
　【００２８】
　前記配管は、建物の外部の空気を室内に取り入れるために建物の外部から換気ユニット本体２０に連通する外部吸入配管３０と、この外部吸入配管３０から吸入された空気を換気ユニット本体２０を介して建物の同一フロアの室内に供給する室内供給配管４０と、その室内供給配管４０が配置された室内と同一フロアの室内の空気を換気ユニット本体２０に吸入する室内吸入口５０と、この室内吸入口５０から吸入された空気を外部に排気するために換気ユニット本体２０から外部まで連通する外部排気配管６０とを備えている。
　【００２９】
　そして、このセントラル換気装置１０は、一階用セントラル換気装置１１と、二階用セントラル換気装置１２との二つに独立して形成されているため、上述した配管等の機器は、一階用と二階用とでそれぞれ別個に有している。すなわち、一階用セントラル換気装置１１は、一階用換気ユニット本体２１と、一階用外部排気配管６１と、一階用外部吸入配管３１と、一階用室内吸入口５１と、一階用室内供給配管４１とを備えている。そして、二階用セントラル換気装置１２は、二階用換気ユニット本体２２と、二階用外部排気配管６２と、二階用外部吸入配管３２と、二階用室内吸入口５２と、二階用室内供給配管４２とを備えている。
　【００３０】
　前記室内供給配管４０の室内側の先端には、天井７４の室内側表面に位置して、室内供給配管４０から供給される空気の風向き等を容易に変更可能なルーバー状の給気グリル４３が形成されている。そして、室内供給配管４０のうち二階に配置された二階用室内供給配管４２の先端は、物を収納するための室内収納部、すなわちクローゼット７１や、押入７３，７４に連結されている。
　【００３１】
　前記換気ユニット本体２０は、電動モーターと、この電動モーターにより回転する多数の羽根とからなり、回転する羽根により発生する強制的な空気の流れを利用して、配管の内部の空気を強制的に移動させることができるものである。すなわち、外部吸入配管３０の空気を室内供給配管４０に向かって、或いは室内吸入口５０からの空気を外部排気配管６０に向かって強制的に移動させることができるものである。具体的には、特に図示しないが、羽根車の回転に伴って気体の遠心力を利用し、気体を圧送するターボファンと、このターボファンからの吹き出し流路を形成するケーシングとを備えているものである。
　【００３２】
　また、前記換気ユニット本体２０は、特に図示しないが、室内側に位置する室内吸入口５０から吸入されて外部排気配管６０から室外に排出される空気と、室外側に位置する外部吸入配管３０から吸入されて室内供給配管４０から室内に供給される空気との間で、熱交換をする熱交換部を備えている。この熱交換部は、室外に排出される空気と室内に供給される空気とで内部の空気を直接、混合させることなく、熱の移動のみを行うことができるものである。具体的には、熱伝導率が大きな金属や樹脂等からなるストロー状の極細薄肉円筒管を多数、配列したものである。そして、室外に排出される空気と室内に供給される空気とのいずれか一方をストロー状の円筒管の内部を通過させ、他方をその円筒管の周囲を通過させるような構造のものである。これにより、室外に排出される空気と、室内に供給される空気とで温度差がある場合に温度が高い方の熱が薄肉円筒管を介して温度が低い方に伝わるように形成されている。
　【００３３】
　また、換気ユニット本体２０は、特に図示しないが、室内側に位置する室内吸入口５０から吸入されて外部排気配管６０から室外に排出される空気と、室外側に位置する外部吸入配管３０から吸入されて室内供給配管４０から室内に供給される空気との間で、空気中に含まれる水分の交換をする水分交換部を備えている。この水分交換部は、室外に排出される空気と室内に供給される空気とで内部の空気を直接、混合させることなく、水分の移動のみを行うことができるものである。具体的には、水分を吸湿し易い和紙や化学繊維等の吸湿材料からなるストロー状の極細薄肉円筒管を多数、配列したものである。そして、吸気と排気とのいずれか一方をストロー状の円筒管の内部を通過させ、他方をその円筒管の周囲を通過させるような構造のものである。これにより、室外に排出される空気と、室内に供給される空気とのいずれか一方が水分を多く含んだ空気であって、他方が乾燥した空気の場合に水分を多く含んだ方の空気中の水分が吸湿材料からなる薄肉円筒管を介して湿度が低い方に伝わるように形成されている。
　【００３４】
　次に、上記した実施の形態の作用及び効果について説明する。
　本実施の形態によれば、外部吸入配管３０から建物の外部の空気を吸入し、吸入した空気は、換気ユニット本体２０を介して室内供給配管４０により建物の同一フロアの室内に供給する。これにより、建物外部の新鮮な空気を同一フロアの室内に供給することができる。そして、室内の空気は、室内吸入口５０から換気ユニット本体２０に吸入され、そこから外部排気配管６０により、建物の外部に排出される。これにより、室内の空気を建物の外部に排出することができる。したがって、建物の内部の室内の空気と、建物の外部の空気との一部を交換することができ、いわゆる同一フロアにおける室内の換気をすることができる。
　【００３５】
　そして、本実施の形態に係るセントラル換気装置１０は、建物の一階と、二階との各フロア毎に独立して形成されている。このため、一階フロアと二階フロアとの間の縦方向に空気の供給或いは排気用の配管を通す必要がなく、かかる縦方向の配管をフロア間に通すためのスペースを設ける必要がない。これにより、かかる縦方向の配管スペースのために、居住空間が狭くなることもなく、建物の内部空間の有効利用を図ることができる。また、かかる縦方向の配管を必要としないため、配管の総延長も短くすることができ、配管コストも抑えることができる。また、配管の総延長も短くなり、各フロアのみの換気能力さえあれば足りるため、各フロアに設ける換気ユニット本体２０の能力も建物の全ての室内の換気をする、いわゆる全館換気と比較して小型のものにすることができる。そして、一階と二階との各フロア毎に独立して形成するため、建物が三階建て以上のものとなっても、同じ配管、機器、設備を各フロア毎に形成すれば足り、三階建て以上の建物にも容易に対応することができる。また、二階建てを三階建て以上に増改築するような場合にも、同一の装置を組み込むだけで、容易に対応することができる。
　【００３６】
　そして、室内供給配管４０のうち二階に配置された二階用室内供給配管４２の先端が、クローゼット７１や、押入７３，７２等の室内収納部の天井７４の表面に連結されている。このため、室内供給配管４０を、室内側から見えないように室内収納部の内部に隠すことができ、室内外観を良好なものにすることができる。そして、室内収納部を介して、室内に向かって新鮮な空気を供給することができるため、室内収納部の換気も同時に行うことができる。
　【００３７】
　そして、本実施の形態に係る換気ユニット本体２０は、室外に排出される空気と、室内に供給される空気との間で熱交換をする熱交換部を備えている。このため、室内を暖房した状態においては、室内から室外に排気される暖かい空気は、熱交換部により熱が吸収され、その吸収された熱は、室外の冷たい空気が室外から室内に吸い込まれる空気に加えられる。これにより、室内には、室外より温度が高い空気が送られることとなり、暖房状態における熱効率の低下を抑えることができる。
　【００３８】
　一方、室内を冷房した状態においては、室外から室内に吸い込まれた暖かい空気は、熱交換部により熱が吸収され、その熱は、室内の冷やされた空気が室内から室外に排出される空気に加えられる。これにより、室内には、室外より温度が低い空気が送られることとなり、冷房状態における熱効率の低下を抑えることができる。
　【００３９】
　さらに、この換気ユニット本体２０は、室外から室内に吸い込まれた空気と、室内から室外に排出される空気との間で空気中に含まれる水分の交換をする水分交換部を備えている。このため、室内の湿度が高い状態において、室内から室外に排気される水分を多く含んだ空気は、水分交換部により水分が吸収され、その吸収された水分は、室外の乾燥した空気が室外から室内に吸い込まれるときに乾燥した空気に加えられる。これにより、室内には、室外より湿度が高い空気が送られることとなり、常に室外より湿度が高い状態を維持することができる。
　【００４０】
　また、室内の湿度が低い状態においては、室外から室内に吸い込まれた水分を多く含んだ空気は、水分交換部により水分が吸収され、その水分は、室内の乾燥した空気が室内から室外に排出されるときに加えられる。これにより、室内には、室外より湿度が低い空気が送られることとなり、室内の湿度を常に室外より低い状態に維持することができる。
　【００４１】
　【発明の効果】
　本発明は、以上のように構成されているので、以下に記載されるような効果を奏する。
　請求項
２
５
　【００４２】
　請求項
６
　請求項
７
　【００４３】
　請求項
８
【図面の簡単な説明】
　【図１】
　本発明の実施の形態を示すものであって、セントラル換気装置を示す概略模式図である。
　【図２】
　本発明の実施の形態を示すものであって、セントラル換気装置を配置した建物を示す概略斜視図である。
　【図３】
　本発明の実施の形態を示すものであって、セントラル換気装置の一階の配管の配置を示す概略平面図である。
　【図４】
　本発明の実施の形態を示すものであって、セントラル換気装置の二階の配管の配置を示す概略平面図である。
　【図５】
　本発明の実施の形態を示すものであって、換気ユニット本体を天井に取り付けた状態を示す縦断面図である。
　【図６】
　本発明の実施の形態を示すものであって、給気グリルを天井に取り付けた状態を示す縦断面図である。
　【図７】
　従来のセントラル換気装置を示す概略模式図である。
　【符号の説明】
　１０　セントラル換気装置　　　　　１１　一階用セントラル換気装置
　１２　二階用セントラル換気装置　　２０　換気ユニット本体
　２１　一階用換気ユニット本体　　　２２　上階用換気ユニット本体
　３０　外部吸入配管　　　　　　　　３１　一階用外部吸入配管
　３２　二階用外部吸入配管　　　　　４０　室内供給配管
　４１　一階用室内供給配管　　　　　４２　二階用室内供給配管
　４３　給気グリル　　　　　　　　　５０　室内吸入口
　５１　一階用室内吸入口　　　　　　５２　二階用室内吸入口
　６０　外部排気配管　　　　　　　　６１　一階用外部排気配管
　６２　二階用外部排気配管　　　　　７１　クローゼット
　７２　押入　　　　　　　　　　　　７３　押入
　７４　天井
　１００　セントラル換気装置　　　　　１１０　換気ユニット本体
　１２０　外部吸入配管　　　　　　　　１３０　一階用室内供給配管
　１４０　縦連結配管　　　　　　　　　１５０　二階用室内供給配管
　１６０　室内排気配管　　　　　　　　１７０　外部排気配管